【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
印刷に有用な装置であって、
第１の表面および第２の表面を有する基板を前進させ、前記基板の前記第１の表面への離型剤の塗布を実施するドナーロールと、
前記ドナーロールに離型剤を塗布する離型剤塗布器と、
複数の穴を備え、その各穴が離型剤を前記離型剤塗布器に滴下によって供給するよう構成されている、離型剤供給デバイスと、
前記基板に塗布される離型剤の分量を制御するように構成され、前記ドナーロールに塗布された分量の離型剤が前記基板への塗布のために前記ドナーロールに維持されるように調整またはプリセットされ得る、離型剤測定デバイスと、
ドリップトレイであって、余剰の離型剤が前記ドナーロールから当該ドリップトレイへ重力によって送られ得るように、前記離型剤測定デバイスの下方に配置される、ドリップトレイと、を備え、
前記ドナーロールは、圧力が前記ドナーロールと前記基板の前記第１の表面との間にかかるように、前記ドナーロールの外周の少なくとも一部分にわたる張力下で前記基板を収容するよう構成され、
前記離型剤供給デバイスはドリップ管であり、当該ドリップ管の長手方向に沿って位置する複数の穴を通じて、前記基板の前記第１の表面へ塗布される離型剤を前記離型剤塗布器に供給するように構成され、
前記離型剤供給デバイスおよび前記離型剤塗布器は、前記基板に塗布された１つまたはそれ以上の画像の１つまたはそれ以上の決められた位置に対応する、前記基板の前記第１の表面の全体に、離型剤を塗布するように構成されている、装置。
【請求項２】
請求項１に記載の装置であって、前記ドリップ管は、銅、ポリマー、アルミニウム、およびステンレス鋼のうちの１つまたはそれ以上から成る、装置。
【請求項３】
請求項１に記載の装置であって、前記離型剤供給デバイスは、前記基板の前記第１の表面へ塗布される離型剤を前記離型剤塗布器に供給するように構成された少なくとも１つのスプレーノズルを含む、装置。
【請求項４】
請求項１に記載の装置であって、前記離型剤供給デバイスおよび前記離型剤塗布器は、前記基板の前記第１の表面に塗布された１つまたはそれ以上の画像の１つまたはそれ以上の決められた位置に対応する、前記基板の前記第１の表面の１つまたはそれ以上の部分に、選択的に離型剤を塗布するように構成されている、装置。
【請求項５】
請求項２に記載の装置であって、前記離型剤測定デバイスは、離型剤を前記ドナーロール上に均一に広げるように構成されたブレードである、装置。
【請求項６】
請求項１に記載の装置であって、前記離型剤塗布器は１つまたはそれ以上のローラから成る、装置。
【請求項７】
請求項１に記載の装置であって、前記離型剤塗布器は１つまたはそれ以上の噴霧ジェットから成る、装置。
【請求項８】
請求項１に記載の装置であって、前記基板に両面印刷処理が施され、前記離型剤は、前記基板の前記第１の表面および前記第２の表面に塗布される、装置。
【請求項９】
請求項８に記載の装置であって、さらに、
離型剤を第２の離型剤塗布器に供給するように構成されている第２の離型剤供給デバイスと、
前記基板の前記第２の表面に離型剤を塗布するように構成された第２のドナーロールに塗布された第２の離型剤の分量を制御するように構成された、第２の離型剤測定デバイスと、を備え、
前記第２のドナーロールは、別の圧力が前記第２のドナーロールと前記基板の前記第２の表面との間にかかるように、前記第２のドナーロールの外周の少なくとも一部分にわたる別の張力下で前記基板を収容するように構成され、
前記装置はさらに、第２のドリップトレイであって、余剰の離型剤が当該第２のドリップトレイへ重力によって送られ得るように、前記第２の離型剤測定デバイスの下方に配置される、第２のドリップトレイを備える、装置。
【請求項１０】
請求項９に記載の装置であって、前記第２のドナーロールは、前記基板の前記第２の表面に離型剤を塗布する離型剤塗布ニップを形成するように構成されている、装置。
【請求項１１】
請求項１に記載の装置であって、前記離型剤は、Ａ４用紙１枚当たり２ｍｇ〜Ａ４用紙１枚当たり１２ｍｇの割合で塗布される、装置。
【請求項１２】
請求項１に記載の装置であって、前記離型剤は、オイルから成り、５０ｃＳ〜１００ｃＳの範囲の動粘性率を有する、装置。
【請求項１３】
請求項１に記載の装置であって、前記ドナーロールは、アルミニウム、ポリマー、およびステンレス鋼のうちの１つまたはそれ以上から成る、装置。
【請求項１４】
請求項１に記載の装置であって、前記離型剤供給デバイス、前記離型剤塗布器、および前記離型剤測定デバイスは、据え付けられるように構成されたユニットとして実現されている、装置。
【請求項１５】
請求項１に記載の装置であって、前記離型剤供給デバイス、前記離型剤塗布器、および前記離型剤測定デバイスは、独立するように構成された可搬型ユニットとして実現されている、装置。
【請求項１６】
請求項１に記載の装置であって、前記離型剤測定デバイスは、離型剤を前記ドナーロール上に均一に広げるように構成されたブレードである、装置。
【請求項１７】
離型剤を第１の表面および第２の表面を有する基板に塗布する方法であって、前記方法は、
ドナーロールを用いて基板を前進させることで、前記基板の前記第１の表面への離型剤の塗布を実施させることと、
離型剤塗布器を用いて前記ドナーロールに離型剤を塗布することと、
少なくとも部分的に、離型剤供給デバイスに離型剤を前記離型剤塗布器へと滴下によって供給させることと、
前記ドナーロールに塗布された分量の離型剤が前記ドナーロールに維持されるように調整またはプリセットされ得る離型剤測定デバイスを用いて、前記基板に塗布される離型剤の分量を制御することと、
少なくとも部分的に、ドリップトレイを前記離型剤測定デバイスの下方に配置することで、余剰の離型剤が前記ドナーロールから前記ドリップトレイへ重力によって送られ得るようにすることと、を含み、
前記ドナーロールは、圧力が前記ドナーロールと前記基板の前記第１の表面との間にかかるように、前記ドナーロールの外周の少なくとも一部分にわたる張力下で前記基板を収容するよう構成され、
前記離型剤供給デバイスはドリップ管であり、当該ドリップ管の長手方向に沿って設けられた１つまたはそれ以上の穴を通じて、前記基板の前記第１の表面へ塗布される離型剤を前記離型剤塗布器に供給するように構成され、
前記離型剤供給デバイスおよび前記離型剤塗布器は、前記基板に塗布された１つまたはそれ以上の画像の１つまたはそれ以上の決められた位置に対応する、前記基板の前記第１の表面の全体に、離型剤を塗布するように構成されている、方法。
【請求項１８】
請求項１７に記載の方法であって、前記基板に両面印刷処理が施され、前記方法はさらに、
少なくとも部分的に、前記基板の前記第１の表面および前記第２の表面に前記離型剤が塗布されるようにすることと、
少なくとも部分的に、第２の離型剤供給デバイスに離型剤を第２の離型剤塗布器へと滴下によって供給させることと、
少なくとも部分的に、前記基板の前記第２の表面に離型剤を塗布するように構成された第２のドナーロールに塗布される第２の離型剤の分量を、第２の離型剤測定デバイスに制御させることと、を含み、
前記第２のドナーロールは、別の圧力が前記第２のドナーロールと前記基板の前記第２の表面との間にかかるように、前記第２のドナーロールの外周の少なくとも一部分にわたる別の張力下で前記基板を収容するよう構成される、方法。
【手続補正２】
【補正対象書類名】明細書
【補正対象項目名】０００３
【補正方法】変更
【補正の内容】
【０００３】
離型剤を基板に塗布して、基板から印刷処理および／または仕上げ器具の１つ以上の部分へのインクオフセットを防ぐ手法が必要である。
本発明の装置は、印刷に有用な装置であって、第１の表面および第２の表面を有する基板を前進させ、前記基板の前記第１の表面への離型剤の塗布を実施するドナーロールと、前記ドナーロールに離型剤を塗布する離型剤塗布器と、複数の穴を備え、その各穴が離型剤を前記離型剤塗布器に滴下によって供給するよう構成されている、離型剤供給デバイスと、前記基板に塗布される離型剤の分量を制御するように構成され、前記ドナーロールに塗布された分量の離型剤が前記基板への塗布のために前記ドナーロールに維持されるように調整またはプリセットされ得る、離型剤測定デバイスと、ドリップトレイであって、余剰の離型剤が前記ドナーロールから当該ドリップトレイへ重力によって送られ得るように、前記離型剤測定デバイスの下方に配置される、ドリップトレイと、を備え、前記ドナーロールは、圧力が前記ドナーロールと前記基板の前記第１の表面との間にかかるように、前記ドナーロールの外周の少なくとも一部分にわたる張力下で前記基板を収容するよう構成され、前記離型剤供給デバイスはドリップ管であり、当該ドリップ管の長手方向に沿って位置する複数の穴を通じて、前記基板の前記第１の表面へ塗布される離型剤を前記離型剤塗布器に供給するように構成され、前記離型剤供給デバイスおよび前記離型剤塗布器は、前記基板に塗布された１つまたはそれ以上の画像の１つまたはそれ以上の決められた位置に対応する、前記基板の前記第１の表面の全体に、離型剤を塗布するように構成されている。
また、本発明の方法は、離型剤を第１の表面および第２の表面を有する基板に塗布する方法であって、前記方法は、ドナーロールを用いて基板を前進させることで、前記基板の前記第１の表面への離型剤の塗布を実施させることと、離型剤塗布器を用いて前記ドナーロールに離型剤を塗布することと、少なくとも部分的に、離型剤供給デバイスに離型剤を前記離型剤塗布器へと滴下によって供給させることと、前記ドナーロールに塗布された分量の離型剤が前記ドナーロールに維持されるように調整またはプリセットされ得る離型剤測定デバイスを用いて、前記基板に塗布される離型剤の分量を制御することと、少なくとも部分的に、ドリップトレイを前記離型剤測定デバイスの下方に配置することで、余剰の離型剤が前記ドナーロールから前記ドリップトレイへ重力によって送られ得るようにすることと、を含み、前記ドナーロールは、圧力が前記ドナーロールと前記基板の前記第１の表面との間にかかるように、前記ドナーロールの外周の少なくとも一部分にわたる張力下で前記基板を収容するよう構成され、前記離型剤供給デバイスはドリップ管であり、当該ドリップ管の長手方向に沿って設けられた１つまたはそれ以上の穴を通じて、前記基板の前記第１の表面へ塗布される離型剤を前記離型剤塗布器に供給するように構成され、前記離型剤供給デバイスおよび前記離型剤塗布器は、前記基板に塗布された１つまたはそれ以上の画像の１つまたはそれ以上の決められた位置に対応する、前記基板の前記第１の表面の全体に、離型剤を塗布するように構成されている。